(57)【特許請求の範囲】
【請求項１】
ドレンをドレンパン(５)に導く経路(２０)と、
上記ドレンパン(５)内または上記ドレンパン(５)上の部材に下流側が接触するように上記経路(２０)に配置され、上記経路(２０)を流れるドレンを下流側に案内する柔軟性を有する断面Ｕ字形状のガイド部材(１１)とを備え、
上記ガイド部材(１１)の下流側が上記ドレンパン(５)内または上記ドレンパン(５)上の熱交換器(２)の伝熱管(１２)に当接していることを特徴とする空気調和機。
【請求項２】
前面側熱交換器(２)と後面側熱交換器(３)がくの字状に折り曲げられてケーシング内に配置された空気調和機であって、
上記前面側熱交換器(２)の下側に配置されたドレンパン(５)と、
上記後面側熱交換器(３)に生じたドレンを上記ドレンパン(５)に導く経路(２０)と、
上記ドレンパン(５)内または上記ドレンパン(５)上の上記前面側熱交換器(２)の伝熱管(１２)と、
上記伝熱管(１２)に下流側が接触するように上記経路(２０)の下流側に配置され、上記経路(２０)を流れるドレンを上記伝熱管(１２)を介して上記ドレンパン(５)内に案内する柔軟性を有する断面Ｕ字形状のガイド部材(１１)とを備えたことを特徴とする空気調和機。
【発明の詳細な説明】
【０００１】
【発明の属する技術分野】
この発明は、ドレンパンを有する空気調和機に関する。
【０００２】
【従来の技術】
従来、空気調和機としては、図３に示すようなものがある。この空気調和機は、くの字状に組み合わされた前面側熱交換器３２と後面側熱交換器部３３とを備えている。また、上記空気調和機は、上記後面側熱交換器部３３の後面側に配置された底フレーム３１と、上記底フレーム３１の下側両端に配置された側面部材３６(図３では右側のみを示す)と、上記前面側熱交換器３２の下側に前面側熱交換器３２の下側の一部が内側に収まるように配置されたドレンパン３５とを備えている。
【０００３】
上記構成の空気調和機では、前面側熱交換器３２に生じたドレンは、前面側熱交換器３２のフィン３２aを伝わって下方に流れて、ドレンパン３５内に滴下する。一方、上記後面側熱交換器３３に生じたドレンは、後面側熱交換器３３のフィン３３aを伝わって底フレーム３１の下側に設けられた溝部３１aに滴下した後、送風ファン(図示せず)を避けるために溝部３１aに沿って両側に流れ、その溝部３１aに続いて前面側に向かって徐々に低くなるように設けられた溝部３１bに沿って前方に流れる。そうして、図４に示すように、上記底フレーム３１の溝部３１bを流れたドレンは、側面部材３６に溝状に設けられた溝部３４に沿って経路４０を流れて、溝部３４の下端部３４aよりドレンパン３５内に滴下する。
【０００４】
【発明が解決しようとする課題】
ところで、上記空気調和機では、図３の要部Ａを拡大した図５に示すように、溝部３４の表面に撥水性がある場合は、溝部３４の下端部３４aからドレン５０がドレンパン３５内に滴下するが、溝部３４の下端部３４aの表面に埃が付着して撥水性がなくなったり、経年変化により撥水性がなくなったりすると、図６に示すように、ドレン６０が溝部３４の下側に回り込んで、ドレンパン３５外に滴下するため、機外に水漏れするという欠点がある。
【０００５】
そこで、この発明の目的は、ドレンをドレンパン内に確実に導いて、水漏れを防止できる空気調和機を提供することにある。
【０００６】
【課題を解決するための手段】
上記目的を達成するため、請求項１の空気調和機は、ドレンをドレンパンに導く経路と、上記ドレンパン内または上記ドレンパン上の部材に下流側が接触するように上記経路に配置されて、上記経路を流れるドレンを下流側に案内する柔軟性を有する断面Ｕ字形状のガイド部材とを備え、
上記ガイド部材の下流側が上記ドレンパン内または上記ドレンパン上の熱交換器の伝熱管に当接していることを特徴としている。
【０００７】
上記請求項１の空気調和機によれば、熱交換器等に生じたドレンが上記経路を流れてドレンパンに流れ込む。このとき、上記ドレンパン内または上記ドレンパン上の部材に下流側が接触するように配置された柔軟性を有する断面Ｕ字形状のガイド部材によって、上記経路からのドレンを下流側すなわちドレンパン側に案内して、そのガイド部材に案内されたドレンは、そのガイド部材の下流側に接触するドレンパン内またはドレンパン上の部材を介してドレンパン内に流れ落ちる。したがって、ドレンをドレンパン内に確実に導いて、水漏れを防止できる。また、取付位置にばらつきが生じても、柔軟性を有するガイド部材を変形させながら伝熱管に確実に接触させることができる。
【０００８】
【０００９】
また、上記ガイド部材に案内されたドレンは、そのガイド部材の下流側からその下流側に接触するドレンパン内またはドレンパン上の熱交換器の伝熱管を介してドレンパン内に流れ落ちる。したがって、上記ドレンパン内またはドレンパン上に別に部材を設ける必要がなく、簡単な構成にできる。また、上記伝熱管に接触するのが柔軟性を有する断面Ｕ字形状のガイド部材であるので、伝熱管を破損することがない。
また、請求項２の空気調和機は、前面側熱交換器と後面側熱交換器がくの字状に折り曲げられてケーシング内に配置された空気調和機であって、
上記前面側熱交換器の下側に配置されたドレンパンと、
上記後面側熱交換器に生じたドレンを上記ドレンパンに導く経路と、
上記ドレンパン内または上記ドレンパン上の上記前面側熱交換器の伝熱管と、
上記伝熱管に下流側が接触するように上記経路の下流側に配置され、上記経路を流れるドレンを上記伝熱管を介して上記ドレンパン内に案内する柔軟性を有する断面Ｕ字形状のガイド部材とを備えたことを特徴とする。
上記請求項２の空気調和機によれば、後面側熱交換器に生じたドレンが上記経路を流れてドレンパンに流れ込む。このとき、上記ドレンパン内または上記ドレンパン上の前面側熱交換器の伝熱管に下流側が接触するように配置された柔軟性を有する断面Ｕ字形状のガイド部材によって、上記経路からのドレンを下流側すなわちドレンパン側に案内して、そのガイド部材に案内されたドレンは、そのガイド部材の下流側に接触するドレンパン内またはドレンパン上の前面側熱交換器の伝熱管を介してドレンパン内に流れ落ちる。したがって、ドレンをドレンパン内に確実に導いて、水漏れを防止できる。また、取付位置にばらつきが生じても、柔軟性を有するガイド部材を変形させながら伝熱管に確実に接触させることができる。
【００１０】
【発明の実施の形態】
以下、この発明の空気調和機を図示の実施の形態により詳細に説明する。
【００１１】
図１はこの発明の実施の一形態の空気調和機の側方から見た部分断面図を示している。上記前面側熱交換器２と後面側熱交換器３とをケーシング(図示せず)内にくの字状に折り曲げて配置している。上記後面側熱交換器３の後面側に底フレーム１を配置し、その底フレーム１の下側の両端に側面部材６(図１では右側のみを示す)を配置して、両側の側面部材６により送風ファン(図示せず)を挟み込んでいる。さらに、上記前面側熱交換器２の下側にドレンパン５を配置している。また、上記底フレーム１には、後面側熱交換器３に生じたドレンを両側に導く断面Ｖ字形状の溝部１aを左右方向(図１の紙面に垂直な方向)に設けると共に、底フレーム１の両側に、その溝部１aに続いて前面側に向かって延びる断面コの字形状の溝部１b(図１では右側のみを示す)を設けている。
【００１２】
また、図２に示すように、上記側面部材６に後面側から前面側に向かって低くなる溝部４を設けている。上記底フレーム１の溝部１a,１b(図１に示す)および側面部材６の溝部４によって、ドレンがドレンパン５に流れる経路２０を形成している。上記溝部４の下流側に断面Ｕ字形状の軟質ガイド部材１１を取り付けている。上記軟質ガイド部材１１は、上流側から下流側に向かって徐々に両側壁が低くなっており、その軟質ガイド部材１１の先端部１１aに切り欠き１１bを設けている。上記軟質ガイド部材１１の先端部１１aを前面側熱交換器２(図１に示す)の下側の伝熱管１２に当接している。上記軟質ガイド部材１１の先端部１１aが伝熱管１２の曲面に当接させるときに、軟質ガイド部材１１の切り欠き１１bが広がって、軟質ガイド部材１１と伝熱管１２とが確実に接触するようにしている。
【００１３】
上記構成の空気調和機において、図１に示すように、前面側熱交換器２に生じたドレンは、前面側熱交換器２のフィン２aを伝わってドレンパン５内に導かれる一方、後面側熱交換器３に生じたドレンは、後面側熱交換器３のフィン３aを伝わって底フレーム１に設けられた溝部１a,１bに沿って流れる。そうして、上記経路２０(図２に示す)を流れたドレンがドレンパン５内に流れ込む。このとき、上記前面側熱交換器２のドレンパン５内に位置する伝熱管１２に下流側が接触するように配置された軟質ガイド部材１１によって、上記経路２０を流れるドレンをドレンパン５側に案内する。そして、上記軟質ガイド部材１１により案内されたドレンは、その軟質ガイド部材１１の下流側に接触する伝熱管１２を介してドレンパン５内に滴下する。
【００１４】
したがって、ドレンをドレンパン内に確実に導いて、機外への水漏れを防止することができる。また、取付位置にばらつきが生じても、軟質ガイド部材１１の先端部１１aを変形させながら伝熱管１２に確実に接触させることができ、信頼性を向上できる。
【００１５】
また、上記軟質ガイド部材１１に案内されたドレンは、その軟質ガイド部材１１の下流側からドレンパン５内の熱交換器２下側の伝熱管１２を介してドレンパン５内に滴下するので、ドレンパン５内またはドレンパン５上に別に部材を設ける必要がなく、簡単な構成にでき、コストを低減することができる。また、柔軟性を有する軟質ガイド部材１１が伝熱管１２に接触するので、伝熱管１２を破損することがない。
【００１６】
上記実施の形態では、上記底フレーム１の溝部１a,１bと側面部材６の溝部４とにより経路２０を形成したが、ドレンをドレンパンに導く経路の構成はこれに限らず、底フレームや側面部材の形状等に応じて適宜な構成にしてよい。
【００１７】
また、上記実施の形態では、軟質ガイド部材１１の先端部１１aを前面側熱交換器２の伝熱管１２に当接させたが、軟質ガイド部材をドレンパン内またはドレンパン上の他の部材(例えばドレンパン内に設けた突起)に当接させてもよい。
【００１８】
また、上記実施の形態では、前面側熱交換器２と後面側熱交換器３とを有する空気調和機について説明したが、前面側熱交換器のみを有する空気調和機にこの発明を適用してもよい。この場合、上記前面側熱交換器からのドレンをドレンパンに導く経路に、ドレンパン内または上記ドレンパン上の部材に下流側が接触するように軟質ガイド部材を配置する。
【００１９】
【発明の効果】
以上より明らかなように、請求項１の発明の空気調和機は、ドレンをドレンパンに導く経路を備え、上記ドレンパン内または上記ドレンパン上の部材に下流側が接触するように上記経路に配置された柔軟性を有する断面Ｕ字形状のガイド部材によって、上記経路を流れるドレンを下流側に案内するものであって、上記ガイド部材の下流側がドレンパン内またはドレンパン上の熱交換器の伝熱管に当接するものである。
【００２０】
したがって、請求項１の発明の空気調和機によれば、熱交換器等に生じたドレンは、上記経路によって導かれ、さらに、上記柔軟性を有する断面Ｕ字形状のガイド部材に案内されて、そのガイド部材の下流側からその下流側に接触するドレンパン内またはドレンパン上の部材を介してドレンパン内に流れ落ちるので、ドレンをドレンパン内に確実に導いて、水漏れを防止することができる。また、取付位置にばらつきが生じても、柔軟性を有するガイド部材を変形させながら伝熱管に確実に接触させることができ、信頼性を向上できる。
【００２１】
また、上記ガイド部材の下流側が上記ドレンパン内または上記ドレンパン上の熱交換器の伝熱管に当接しているので、ドレンパン内またはドレンパン上に別に部材を設ける必要がなく、簡単な構成にすることができる。また、柔軟性を有するガイド部材が伝熱管に接触するので、伝熱管を破損することがない。
また、請求項２の発明の空気調和機は、前面側熱交換器と後面側熱交換器がくの字状に折り曲げられてケーシング内に配置された空気調和機であって、ドレンをドレンパンに導く経路を備え、上記ドレンパン内または上記ドレンパン上の前面側熱交換器の伝熱管に下流側が接触するように上記経路に配置された柔軟性を有する断面Ｕ字形状のガイド部材によって、上記経路を流れるドレンを下流側に案内するものである。
したがって、請求項２の発明の空気調和機によれば、後面側熱交換器に生じたドレンは、上記経路によって導かれ、さらに、上記柔軟性を有する断面Ｕ字形状のガイド部材に案内されて、そのガイド部材の下流側からその下流側に接触するドレンパン内またはドレンパン上の前面側熱交換器の伝熱管を介してドレンパン内に流れ落ちるので、ドレンをドレンパン内に確実に導いて、水漏れを防止することができる。また、取付位置にばらつきが生じても、柔軟性を有するガイド部材を変形させながら伝熱管に確実に接触させることができ、信頼性を向上できる。
【図面の簡単な説明】
【図１】  図１はこの発明の実施の一形態の空気調和機の部分断面図である。
【図２】  図２は上記空気調和機の要部の斜視図である。
【図３】  図３は従来の空気調和機の部分断面図である。
【図４】  図４は上記空気調和機の要部の斜視図である。
【図５】  図５は図３の要部Ａの拡大図を示し、側面部材の下端部の撥水性がある場合の図３の要部Ａの拡大図である。
【図６】  図６は図３の要部Ａの拡大図を示し、側面部材の下端部の撥水性がなくなった場合のである。
【符号の説明】
１…底フレーム、２…前面側熱交換器、
３…後面側熱交換器、４…溝部、
５…ドレンパン、６…側面部材、
１１…軟質ガイド部材、１２…伝熱管、
２０…経路。
【図１】
0004042194.tif 000002
【図２】
0004042194.tif 000003
【図３】
0004042194.tif 000004
【図４】
0004042194.tif 000005
【図５】
0004042194.tif 000006
【図６】
0004042194.tif 000007